(57)【要約】【課題】  互いに特性が異なる複数の画像が表示領域に表示される場合であってもプリチャージによって表示品位を向上させる。【解決手段】  複数のデータ線１４は所定の本数ごとにブロックＢに区分される。走査線駆動回路２０は、複数の走査線１２の各々を選択期間ごとに順次に選択する。データ線駆動回路４０は、ひとつの選択期間のうち各ブロックＢに対応するデータ出力期間Ｔdごとに、そのブロックＢに属する各データ線１４に対してデータ電位Ｘを印加する。電圧出力回路３１は、各ブロックＢごとのプリチャージ電位を時分割にて出力する。プリチャージ回路５０は、各ブロックＢのデータ線１４にデータ電位Ｘが印加されるデータ出力期間Ｔdの直前のプリチャージ期間Ｔpにおいて、電圧出力回路３１が当該ブロックＢについて出力したプリチャージ電位をそのブロックＢの各データ線１４に印加する。【選択図】      図１
2006133446.tif 000002
【特許請求の範囲】
【請求項１】
複数の走査線と所定の本数ごとにブロックに区分された複数のデータ線との各交差に対
応して画素が配置された電気光学装置を駆動する回路であって、
前記複数の走査線の各々を選択期間ごとに順次に選択する走査線駆動回路と、
ひとつの選択期間のうち各ブロックに対応するデータ出力期間ごとに、そのブロックに
属する各データ線に対し、当該データ線と前記走査線駆動回路が選択した走査線との交差
に対応する画素の階調に応じたデータ電位を供給するデータ線駆動回路と、
各ブロックごとのプリチャージ電位を時分割にて出力する電圧出力回路と、
各ブロックのデータ線にデータ電位が供給されるデータ出力期間の直前のプリチャージ
期間において、前記電圧出力回路が当該ブロックについて出力したプリチャージ電位をそ
のブロックの各データ線に供給するプリチャージ手段と
を具備する電気光学装置の駆動回路。
【請求項２】
複数の走査線と所定の本数ごとにブロックに区分された複数のデータ線との各交差に対
応して画素が配置された電気光学装置を駆動する回路であって、
前記複数の走査線の各々を選択期間ごとに順次に選択する走査線駆動回路と、
ひとつの選択期間に含まれるデータ出力期間において、前記複数のデータ線の各々に対
し、当該データ線と前記走査線駆動回路が選択した走査線との交差に対応する画素の階調
に応じたデータ電位を供給するデータ線駆動回路と、
各々が異なるブロックに対応した複数のプリチャージ電位を並列に出力する電圧出力回
路と、
データ出力期間の直前のプリチャージ期間において、複数のブロックの各々に属するデ
ータ線に対し、前記電圧出力回路が当該ブロックについて出力したプリチャージ電位を供
給するプリチャージ手段と
を具備する電気光学装置の駆動回路。
【請求項３】
複数の走査線と所定の本数ごとにブロックに区分された複数のデータ線との各交差に対
応して画素が配置された電気光学装置を駆動する回路であって、
前記複数の走査線の各々を選択期間ごとに順次に選択する走査線駆動回路と、
ひとつの選択期間のうち複数のブロックからなるブロック群の各々に対応するデータ出
力期間ごとに、そのブロック群に属する各データ線に対し、当該データ線と前記走査線駆
動回路が選択した走査線との交差に対応する画素の階調に応じたデータ電位を供給するデ
ータ線駆動回路と、
ブロック群に属する各ブロックのプリチャージ電位を時分割にてブロック群ごとに並列
に出力する電圧出力回路と、
各ブロック群のデータ線にデータ電位が供給されるデータ出力期間の直前のプリチャー
ジ期間において、そのブロック群の各ブロックに属するデータ線に対し、前記電圧出力回
路が当該ブロックについて出力したプリチャージ電位を供給するプリチャージ手段と
を具備する電気光学装置の駆動回路。
【請求項４】
前記複数の画素によって表示される画像の特性をブロックごとに判定する判定手段を具
備し、
前記電圧出力回路は、各ブロックについて前記判定手段が判定した特性に応じた電位を
当該ブロックのプリチャージ電位として出力する
請求項１から請求項３の何れかに記載の電気光学装置の駆動回路。
【請求項５】
前記データ線駆動回路は、第１電位と当該第１電位よりも高い第２電位との間にある負
極性のデータ電位と、前記第２電位よりも高い第３電位と当該第３電位よりも高い第４電
位との間にある正極性のデータ電位との何れかを各データ線に供給し、
前記電圧出力回路は、正極性のデータ電位が供給されるデータ出力期間の直前のプリチ
ャージ期間においては、前記第３電位と前記第４電位との間の電位と、前記第３電位より
も低い電位との何れかをブロックごとに選択してプリチャージ電位として出力する一方、
前記負極性のデータ電位が供給されるデータ出力期間の直前のプリチャージ期間において
は、前記第１電位と前記第２電位との間の電位をプリチャージ電位として出力する
請求項１から請求項３の何れかに記載の電気光学装置の駆動回路。
【請求項６】
前記複数の画素によって表示される画像が自然画系の画像であるかデータ系の画像であ
るかをブロックごとに判定する判定手段を具備し、
前記データ線駆動回路は、第１電位と当該第１電位よりも高い第２電位との間にある負
極性のデータ電位と、前記第２電位よりも高い第３電位と当該第３電位よりも高い第４電
位との間にある正極性のデータ電位との何れかを各データ線に供給し、
前記電圧出力回路は、前記正極性のデータ電位が供給されるデータ出力期間の直前のプ
リチャージ期間において、前記判定手段が自然画系の画像と判定したブロックについては
前記第３電位と前記第４電位との間の電位を、前記判定手段がデータ系の画像と判定した
ブロックについては前記第３電位と前記第４電位の中心電位よりも低い電位、または、前
記第３の電位よりも低く前記第１電位と前記第４電位の中心電位よりも高い電位を、それ
ぞれ当該ブロックのプリチャージ電位として出力する一方、前記負極性のデータ電位が供
給されるデータ出力期間の直前のプリチャージ期間において、前記判定手段が自然画系の
画像と判定したブロックについては前記第１電位と前記第２電位との間の電位を、前記判
定手段がデータ系の画像と判定したブロックについては前記第１電位と前記第２電位との
中心電位よりも低い電位を、それぞれ当該ブロックのプリチャージ電位として出力する
請求項１から請求項３の何れかに記載の電気光学装置の駆動回路。
【請求項７】
複数の走査線と所定の本数ごとにブロックに区分された複数のデータ線との各交差に対
応して配置された画素と、
前記複数の走査線の各々を選択期間ごとに順次に選択する走査線駆動回路と、
ひとつの選択期間のうち各ブロックに対応するデータ出力期間ごとに、そのブロックに
属する各データ線に対し、当該データ線と前記走査線駆動回路が選択した走査線との交差
に対応する画素の階調に応じたデータ電位を供給するデータ線駆動回路と、
各ブロックごとのプリチャージ電位を時分割にて出力する電圧出力回路と、
各ブロックのデータ線にデータ電位が供給されるデータ出力期間の直前のプリチャージ
期間において、前記電圧出力回路が当該ブロックについて出力したプリチャージ電位をそ
のブロックの各データ線に供給するプリチャージ手段と
を具備する電気光学装置。
【請求項８】
複数の走査線と所定の本数ごとにブロックに区分された複数のデータ線との各交差に対
応して配置された画素と、
前記複数の走査線の各々を選択期間ごとに順次に選択する走査線駆動回路と、
ひとつの選択期間に含まれるデータ出力期間において、前記複数のデータ線の各々に対
し、当該データ線と前記走査線駆動回路が選択した走査線との交差に対応する画素の階調
に応じたデータ電位を供給するデータ線駆動回路と、
各々が異なるブロックに対応した複数のプリチャージ電位を並列に出力する電圧出力回
路と、
データ出力期間の直前のプリチャージ期間において、複数のブロックの各々に属するデ
ータ線に対し、前記電圧出力回路が当該ブロックについて出力したプリチャージ電位を供
給するプリチャージ手段と
を具備する電気光学装置。
【請求項９】
複数の走査線と所定の本数ごとにブロックに区分された複数のデータ線との各交差に対
応して配置された画素と、
前記複数の走査線の各々を選択期間ごとに順次に選択する走査線駆動回路と、
ひとつの選択期間のうち複数のブロックからなるブロック群の各々に対応するデータ出
力期間ごとに、そのブロック群に属する各データ線に対し、当該データ線と前記走査線駆
動回路が選択した走査線との交差に対応する画素の階調に応じたデータ電位を供給するデ
ータ線駆動回路と、
ブロック群に属する各ブロックごとのプリチャージ電位を時分割にてブロック群ごとに
並列に出力する電圧出力回路と、
各ブロック群のデータ線にデータ電位が供給されるデータ出力期間の直前のプリチャー
ジ期間において、そのブロック群の各ブロックに属するデータ線に対し、前記電圧出力回
路が当該ブロックについて出力したプリチャージ電位を供給するプリチャージ手段と
を具備する電気光学装置。
【請求項１０】
請求項７から請求項９の何れかに記載の電気光学装置を具備する電子機器。
【請求項１１】
複数の走査線と所定の本数ごとにブロックに区分された複数のデータ線との各交差に対
応して画素が配置された電気光学装置を駆動する方法であって、
前記複数の走査線の各々を選択期間ごとに順次に選択し、ひとつの選択期間のうち各ブ
ロックに対応するデータ出力期間ごとに、そのブロックに属する各データ線に対し、当該
データ線と前記選択した走査線との交差に対応する画素の階調に応じたデータ電位を供給
する一方、
各ブロックごとのプリチャージ電位を時分割にて出力し、各ブロックのデータ線にデー
タ電位が供給されるデータ出力期間の直前のプリチャージ期間において、当該ブロックに
ついて出力したプリチャージ電位をそのブロックの各データ線に供給する
電気光学装置の駆動方法。
【請求項１２】
複数の走査線と所定の本数ごとにブロックに区分された複数のデータ線との各交差に対
応して画素が配置された電気光学装置を駆動する方法であって、
前記複数の走査線の各々を選択期間ごとに順次に選択し、ひとつの選択期間に含まれる
データ出力期間において、前記複数のデータ線の各々に対し、当該データ線と前記選択し
た走査線との交差に対応する画素の階調に応じたデータ電位を供給する一方、
各々が異なるブロックに対応した複数のプリチャージ電位を並列に出力し、データ出力
期間の直前のプリチャージ期間において、複数のブロックの各々に属するデータ線に対し
、当該ブロックについて出力したプリチャージ電位を供給する
電気光学装置の駆動方法。
【請求項１３】
複数の走査線と所定の本数ごとにブロックに区分された複数のデータ線との各交差に対
応して画素が配置された電気光学装置を駆動する方法であって、
前記複数の走査線の各々を選択期間ごとに順次に選択し、ひとつの選択期間のうち複数
のブロックからなるブロック群の各々に対応するデータ出力期間ごとに、そのブロック群
に属する各データ線に対し、当該データ線と前記選択した走査線との交差に対応する画素
の階調に応じたデータ電位を供給する一方、
ブロック群に属する各ブロックごとのプリチャージ電位を時分割にてブロック群ごとに
並列に出力し、各ブロック群のデータ線にデータ電位が供給されるデータ出力期間の直前
のプリチャージ期間において、そのブロック群の各ブロックに属するデータ線に対し、当
該ブロックについて出力したプリチャージ電位を供給する
電気光学装置の駆動方法。
【発明の詳細な説明】
【技術分野】
【０００１】
本発明は、電気光学物質を利用して画像を表示する技術に関し、特に、画素の階調に応
じたデータ電位が供給されるデータ線をその供給に先立って充放電（プリチャージ）する
技術に関する。
【背景技術】
【０００２】
特許文献１には、ひとつの走査線が選択されて各データ線にデータ電位（画素の階調に
応じた電位）が印加される期間の直前に、中間調に相当するレベルのプリチャージ電位を
総てのデータ線に対して一斉に印加する技術が開示されている。この構成によれば、各デ
ータ線に対してデータ電位が印加されたときの充放電量を低減することができるから、デ
ータ電位を印加するときの充放電に起因した表示品位の劣化が抑制される。また、特許文
献２には、正極性のデータ電位が印加されるときのプリチャージ電位と負極性のデータ電
位が印加されるときのプリチャージ電位とを、正極性のデータ電位の最高値と負極性のデ
ータ電位の最低値との中心電位に対して非対称の電位に設定し、かつ、負極性に対応する
プリチャージ電位を、負極性のデータ電位の最高値と最低値との中心電位よりも低い電位
とした構成が開示されている。この構成によれば、画素に印加される電位を制御するスイ
ッチング素子（例えばＴＦＴ（Thin Film Transistor）素子）に光が照射された結果とし
て電荷のリークが発生しても、これを原因とした縦方向のクロストーク（以下「光クロス
トーク」という）が抑制されるという利点がある。
【特許文献１】特開平７−２９５５２１号公報（段落００１３および図１）
【特許文献２】特開２００３−２０２８４７号公報（段落００６２、段落００６３および図２）
【発明の開示】
【発明が解決しようとする課題】
【０００３】
ところで、例えばパーソナルコンピュータに接続された表示装置として使用される電気
光学装置においては、各々の特性が相違する複数の画像がひとつの画面内に表示される場
合がある。例えば、ウィンドウのフレームやアイコンといった人工的な画像（以下「デー
タ系の画像」という）と、自然物を撮像した静止画や動画といった複雑な画像（以下「自
然画系の画像」という）とが同時に表示されるといった具合である。ここで、データ系の
画像と自然画系の画像とでは最適なプリチャージ電位が相違する、しかしながら、従来の
技術においては、ひとつの期間に総てのデータ線に対して共通のプリチャージ電位が印加
されるようになっているため、各画像ごとに最適なプリチャージ電圧を適用することがで
きず、したがってプリチャージ電位の印加による表示品位の向上には限界があるのが現状
であった。本発明は、このような事情に鑑みてなされたものであり、互いに特性が異なる
複数の画像が表示領域に表示される場合であってもプリチャージによって表示品位を向上
させることを目的としている。
【課題を解決するための手段】
【０００４】
この課題を解決するために、本発明に係る駆動回路の第１の特徴は、複数の走査線と所
定の本数ごとにブロックに区分された複数のデータ線との各交差に対応して画素が配置さ
れた電気光学装置を駆動する回路において、複数の走査線の各々を選択期間ごとに順次に
選択する走査線駆動回路と、ひとつの選択期間のうち各ブロックに対応するデータ出力期
間ごとに、そのブロックに属する各データ線に対し、当該データ線と走査線駆動回路が選
択した走査線との交差に対応する画素の階調に応じたデータ電位を供給するデータ線駆動
回路と、各ブロックごとのプリチャージ電位を時分割にて出力する電圧出力回路と、各ブ
ロックのデータ線にデータ電位が供給されるデータ出力期間の直前のプリチャージ期間に
おいて、電圧出力回路が当該ブロックについて出力したプリチャージ電位をそのブロック
の各データ線に供給するプリチャージ手段とを設けたことにある。
この構成によれば、データ線がブロックごとに別個のプリチャージ電位にプリチャージ
されるから、互いに特性が異なる複数の画像が表示領域に表示される場合であってもプリ
チャージによって有効に表示品位を向上させることができる。なお、第１の特徴に係る具
体的な形態は第１実施形態として後述される。
【０００５】
また、本発明に係る駆動回路の第２の特徴は、複数の走査線と所定の本数ごとにブロッ
クに区分された複数のデータ線との各交差に対応して画素が配置された電気光学装置を駆
動する回路において、複数の走査線の各々を選択期間ごとに順次に選択する走査線駆動回
路と、ひとつの選択期間に含まれるデータ出力期間において、複数のデータ線の各々に対
し、当該データ線と走査線駆動回路が選択した走査線との交差に対応する画素の階調に応
じたデータ電位を供給するデータ線駆動回路と、各々が異なるブロックに対応した複数の
プリチャージ電位を並列に出力する電圧出力回路と、データ出力期間の直前のプリチャー
ジ期間において、複数のブロックの各々に属するデータ線に対し、電圧出力回路が当該ブ
ロックについて出力したプリチャージ電位を供給するプリチャージ手段とを設けたことに
ある。
この構成においても、データ線がブロックごとに別個のプリチャージ電位にプリチャー
ジされるから、第１の特徴に係る駆動回路と同様の効果が奏される。また、第１の特徴に
係る駆動回路においては、時分割にて出力されたプリチャージ電位を各ブロックのデータ
線に分配する構成（例えば図１に示されるシフトレジスタ５２）が必要であるのに対し、
第２の特徴に係る駆動回路においてはこのような構成を不要とすることができるから、駆
動回路の構成の簡略化（例えば額縁領域の狭小化）が図られる。なお、第２の特徴に係る
具体的な形態は第２実施形態として後述される。
【０００６】
本発明は、第１の特徴と第２のと特徴とを併せ持った駆動回路としても特定される。す
なわち、本発明に係る駆動回路の第３の特徴は、複数の走査線と所定の本数ごとにブロッ
クに区分された複数のデータ線との各交差に対応して画素が配置された電気光学装置を駆
動する回路において、複数の走査線の各々を選択期間ごとに順次に選択する走査線駆動回
路と、ひとつの選択期間のうち複数のブロックからなるブロック群の各々に対応するデー
タ出力期間ごとに、そのブロック群に属する各データ線に対し、当該データ線と走査線駆
動回路が選択した走査線との交差に対応する画素の階調に応じたデータ電位を供給するデ
ータ線駆動回路と、ブロック群に属する各ブロックのプリチャージ電位を時分割にてブロ
ック群ごとに並列に出力する電圧出力回路と、各ブロック群のデータ線にデータ電位が供
給されるデータ出力期間の直前のプリチャージ期間において、そのブロック群の各ブロッ
クに属するデータ線に対し、電圧出力回路が当該ブロックについて出力したプリチャージ
電位を供給するプリチャージ手段とを設けたことにある。
この構成においても、データ線がブロックごとに別個のプリチャージ電位にプリチャー
ジされるから、第１の特徴に係る駆動回路と同様の効果が奏される。なお、第３の特徴に
係る具体的な形態は第３実施形態として後述される。
【０００７】
なお、プリチャージ手段は、データ線駆動回路とは別個の回路として実現されてもよい
し（後述する第１ないし第３実施形態）、データ線駆動回路と一体の回路として実現され
てもよい（例えば図１０の構成）。また、本発明において「データ出力期間の直前のプリ
チャージ期間」とは、あるデータ出力期間の前の期間であり、かつ、そのデータ出力期間
の前のデータ出力期間よりも後の期間という意味であり、「直前」とは言ってもプリチャ
ージ期間とデータ出力期間とが時間軸上において完全に連続していることは必須ではない
。
【０００８】
第１ないし第３の特徴に係る駆動回路の好ましい態様においては、複数の画素によって
表示される画像の特性をブロックごとに判定する判定手段が設けられ、電圧出力回路は、
各ブロックについて判定手段が判定した特性に応じた電位を当該ブロックのプリチャージ
電位として出力する。この態様によれば、各ブロックに表示される画像の特性に合致した
プリチャージ電位にて当該ブロックのデータ線をプリチャージすることができるから、実
際に表示される画像にとって最適なプリチャージ電位を利用して表示品位をいっそう向上
させることができる。
【０００９】
他の態様において、データ線駆動回路は、第１電位と当該第１電位よりも高い第２電位
との間（例えば図３に示される負極性データ電位範囲）にある負極性のデータ電位と、第
２電位よりも高い第３電位と当該第３電位よりも高い第４電位との間（例えば図３に示さ
れる正極性データ電位範囲）にある正極性のデータ電位との何れかを各データ線に供給し
、電圧出力回路は、正極性のデータ電位が供給されるデータ出力期間の直前のプリチャー
ジ期間においては、第３電位と第４電位との間の電位（例えば図３の電位ＶH1）と、第３
電位よりも低い電位（例えば図３の電位ＶH2）との何れかをブロックごとに選択してプリ
チャージ電位として出力する一方、負極性のデータ電位が供給されるデータ出力期間の直
前のプリチャージ期間においては、前記第１電位と前記第２電位との間の電位（例えば図
３の電位ＶL1または電位ＶL2）をプリチャージ電位として出力する。第３電位と第４電位
との間の電位および第１電位と第２電位との間の電位（特に図３の電位ＶL1）は、各デー
タ線の電位が所期のデータ電位に到達するまでの時間を短縮するためのプリチャージ電位
として好適である（特許文献１参照）。一方、第３電位よりも低い電位、および第１電位
と第２電位ととの間の電位（特に、図３の電位ＶL2のように第１電位と第２電位との中心
電位よりも低い電位）は、光クロストークを抑制するためのプリチャージ電位として好適
である（特許文献２参照）。このような電位を選択的にプリチャージ電位として出力すれ
ば、各データ線の電位が所期のデータ電位に到達するまでの時間を短縮するという効果や
光クロストークを抑制するという効果を選択的に得ることができる。
より具体的には、これらの電位の各々は、画像の特性に応じて選択されることが望まし
い。この望ましい態様においては、複数の画素によって表示される画像が自然画系の画像
であるかデータ系の画像であるかをブロックごとに判定する判定手段が設けられ、データ
線駆動回路は、第１電位と当該第１電位よりも高い第２電位との間にある負極性のデータ
電位と、第２電位よりも高い第３電位と当該第３電位よりも高い第４電位との間にある正
極性のデータ電位との何れかを各データ線に供給し、電圧出力回路は、正極性のデータ電
位が供給されるデータ出力期間の直前のプリチャージ期間において、判定手段が自然画系
の画像と判定したブロックについては第３電位と第４電位との間の電位を、判定手段がデ
ータ系の画像と判定したブロックについては第３電位と第４電位の中心電位よりも低い電
位、または、第３の電位よりも低く第１電位と第４電位の中心電位よりも高い電位を、そ
れぞれ当該ブロックのプリチャージ電位として出力する一方、負極性のデータ電位が供給
されるデータ出力期間の直前のプリチャージ期間において、判定手段が自然画系の画像と
判定したブロックについては第１電位と第２電位との間の電位を、判定手段がデータ系の
画像と判定したブロックについては第１電位と第２電位との中心電位よりも低い電位を、
それぞれ当該ブロックのプリチャージ電位として出力する。この態様によれば、画像が自
然画系の画像である場合には、各データ線の電位が所期のデータ電位に到達するまでの時
間を短縮することができ、画像がデータ系の画像である場合には、光クロストークを有効
に抑制することができる。プリチャージ電位と画像の特性との関係をこのように選定した
のは、自然画系の画像においては光クロストークがそれほど顕著とならないためにデータ
線の充放電を優先させるべきであり、データ系の画像においては光クロストークが特に顕
在化するためにその抑制を優先させるべきだからである。
なお、自然画系の画像とは、典型的には風景や動植物などの自然物を撮像した画像であ
り、各画素の階調に着目すると、互いに隣接する画素の階調が相違する回数が多く、ある
いは時間軸上において連続する画像の各画素の階調が相違する回数が多いといった特徴を
有する画像である。一方、データ系の画像とは、典型的にはパーソナルコンピュータなど
の情報処理装置にて生成されたアイコンやウィンドウのフレームなどの画像であり、各画
素の階調に着目すると、互いに隣接する画素の階調が相違する回数が少なく、あるいは時
間軸上において連続する画像の各画素の階調が相違する回数が少ないといった特徴を有す
る画像である。
【００１０】
本発明に係る駆動回路は、電気光学装置において画素を駆動するための回路として採用
される。電気光学装置とは、電気光学物質を利用した装置である。電気光学物質とは、電
気的なエネルギの付与によって光学的な特性（透過率や輝度）が変化する物質である。電
気光学物質の典型例は液晶であるが、本発明はこれ以外の電気光学物質を利用した電気光
学装置にも当然に採用される。この種の電気光学装置は種々の電子機器の表示装置として
採用される。本発明が適用される電子機器としては、例えば投射型表示装置や携帯電話機
などがある。また、本発明の第１ないし第３の特徴は、電気光学装置を駆動するための方
法にも適用される。
【発明を実施するための最良の形態】
【００１１】
＜Ａ：第１実施形態＞
まず、図１を参照して、本発明の第１実施形態に係る電気光学装置の構成を説明する。
この電気光学装置は、素子基板と対向基板との間隙に電気光学物質たる液晶を封止してな
る液晶装置である。同図に示されるように、電気光学装置Ｄ1は、Ｘ方向に延在して走査
線駆動回路２０に接続されたｍ本の走査線１２と、Ｘ方向に直交するＹ方向に延在してデ
ータ線駆動回路４０に接続された４ｎ本のデータ線１４とを有する（ｍおよびｎはともに
自然数）。これらのデータ線１４は、互いに隣接するｎ本を単位として４個のブロックＢ
1ないしＢ4に区分される。なお、ブロックＢ1ないしＢ4の何れかを特に特定する必要がな
い場合には単に「ブロックＢ」と表記する。
【００１２】
走査線１２とデータ線１４との交差には画素Ｐが配置される。したがって、これらの画
素Ｐは、表示領域Ａd内に、Ｘ方向およびＹ方向にわたって縦ｍ行×横４ｎ列のマトリク
ス状に配列する。図２に示されるように、ひとつの画素Ｐは、画素容量７１とスイッチン
グ素子７３とを含む。このうち画素容量７１は、素子基板に形成された画素電極７１１と
、対向基板に形成された対向電極７１３と、その間隙に挟まれた液晶７１２とからなる容
量である。一方、スイッチング素子７３は、例えば素子基板の表面に形成されたｎチャネ
ル型のＴＦＴ素子である。このスイッチング素子７３のゲート電極は走査線１２に接続さ
れ、ソース電極はデータ線１４に接続され、ドレイン電極は画素電極７１１に接続される
。なお、液晶７１２に印加される電圧を補助的に保持する蓄積容量が画素容量７１と並列
に配置された構成としてもよい。
【００１３】
図１に示される走査線駆動回路２０は、各垂直走査期間（１Ｆ）においてｍ本の走査線
１２の各々を順番に選択する回路である。さらに詳述すると、走査線駆動回路２０は、図
４に示されるように、選択期間（水平走査期間）ごとに順番にアクティブレベルとなる走
査信号Ｙ1、Ｙ2、……、Ｙmを各走査線１２に出力する。走査信号Ｙi（ｉは１≦ｉ≦ｍを
満たす整数）がアクティブレベルになると第ｉ行目の走査線１２が選択され、この走査線
１２に接続された４ｎ個のスイッチング素子７３が一斉にオン状態となる。このときにデ
ータ線１４に印加されている電位（以下「データ電位」という）Ｘが各スイッチング素子
７３を介して第ｉ行目の各画素Ｐの画素容量７１に保持され、この電圧に応じて画素容量
７１の液晶７１２の配向方向が変化することによってデータ電位Ｘに応じた階調が表示さ
れる。本実施形態における電気光学装置Ｄ1は、画素容量７１に電圧が印加されていない
ときに画素Ｐの階調が白色（つまり最も明るい階調）となり、画素容量７１に印加される
電圧が大きいほど画素Ｐの階調が暗くなるノーマリーホワイトモードの表示装置である。
もっとも、ノーマリーブラックモードの表示装置にも本実施形態は同様に適用される。
【００１４】
本実施形態においては、図４に示されるように、各選択期間（１Ｈ）がブロックＢの総
数に相当する４個の期間（以下「ブロック期間」という）Ｔｂ1ないしＴｂ4に区分される
。各ブロック期間Ｔｂk（ｋは１≦ｋ≦４を満たす自然数）は、その始点から所定の時間
長が経過するまでの期間（以下「プリチャージ期間」という）Ｔpと、プリチャージ期間
Ｔpの終点から当該ブロック期間Ｔｂkの終点までの期間（以下「データ出力期間」という
）Ｔdとを含む。ブロック期間Ｔｂkのプリチャージ期間Ｔpは、ブロックＢkに属するｎ本
のデータ線１４にプリチャージ電位を印加するための期間である。一方、ブロック期間Ｔ
ｂkのデータ出力期間Ｔdは、ブロックＢkに属するｎ本のデータ線１４の各々に対してデ
ータ電位Ｘを順番に印加するための期間である。このように本実施形態においては、各ブ
ロックＢkのデータ線１４ごとに選択期間内の別個のタイミングにてプリチャージが実行
される。なお、ブロック期間Ｔｂ1ないしＴｂ4の何れかを特に特定する必要がない場合に
は単に「ブロック期間Ｔｂ」と表記する。
【００１５】
図１に示されるデータ線駆動回路４０は、走査線駆動回路２０が選択している走査線１
２に接続された各画素Ｐの階調に応じたデータ電位Ｘをデータ出力期間Ｔdにて各データ
線１４に印加するための手段である。各データ線１４に印加されるデータ電位Ｘは、予め
定められた電位（例えば対向電極７１３に印加される電位）ＶCを基準とした極性が正極
性および負極性の一方から他方に周期的に反転される。「正極性」とは、電位ＶCよりも
高位側の極性であり、「負極性」とは、電位ＶCよりも低位側の極性である。データ電位
Ｘの極性を反転させる方式としては、例えば、垂直走査期間ごとに極性を反転させるフレ
ーム反転方式や、互いに隣接する走査線１２ごと（換言すれば選択期間ごと）に極性を反
転させる行反転方式が採用されるが、本実施形態においては、後者の行反転方式が採用さ
れた場合を想定する。
【００１６】
図３は、データ電位Ｘの範囲を模式的に示す図である。同図に示されるように、正極性
のデータ電位Ｘは、電位ＶWHから電位ＶHまでの範囲（図３に示す「正極性データ電位範
囲」）のなかから画素Ｐの階調に応じて定められる。電位ＶWHは電位ＶCよりも高い電位
であり、電位ＶHは電位ＶWHよりも更に高い電位である。一方、負極性のデータ電位Ｘは
、電位ＶLから電位ＶWLまでの範囲（図３に示す「負極性データ電位範囲」）のなかから
画素Ｐの階調に応じて定められる。電位ＶWLは電位ＶCよりも低い電位であり、電位ＶLは
電位WLよりも更に低い電位である。電位ＶHと電位ＶL、電位ＶWHと電位ＶWLは、それぞれ
電位ＶCを中心として対称となる。
【００１７】
一方、プリチャージ期間Ｔpにて各ブロックＢkのデータ線１４に印加されるプリチャー
ジ電位は、そのブロックＢkに表示される画像とデータ電位Ｘの極性とに応じて４種類の
電位（ＶH1、ＶL1、ＶH2、ＶL2）のなかから選択される。本実施形態においては、ブロッ
クＢkに自然画系の画像が表示される場合にはデータ電位Ｘの極性に応じてプリチャージ
電位ＶH1およびＶL1の何れかが選択されて当該ブロックＢkの各データ線１４をプリチャ
ージするために利用され、各ブロックＢkにデータ系の画像が表示される場合にはデータ
電位Ｘの極性に応じてプリチャージ電位ＶH2およびＶL2の何れかが選択されて当該ブロッ
クＢkの各データ線１４をプリチャージするために利用される。自然画系の画像とは、風
景や動物といった自然物を撮影して得られた画像であり、データ系の画像とは、コンピュ
ータの表示装置に表示されるアイコンやウィンドウなどの図形など直線的ないし人工的な
画像である。
【００１８】
プリチャージ電位ＶH1およびＶL1は、データ電位Ｘの印加に先立ってデータ線１４を充
放電させることによってデータ線１４の電位が所期のデータ電位Ｘに到達するまでの時間
を短縮するという観点に基づいて選定された電位である（特許文献１参照）。一方、プリ
チャージ電位ＶH2およびＶL2は、光照射によるスイッチング素子７３のリークに起因した
光クロストークを抑制するという観点に基づいて選定された電位である（特許文献２参照
）。自然画系の画像を表示する場合にはスイッチング素子７３のリークに起因した光クロ
ストークがそれほど目立たないため、データ線１４の電位を迅速に変動させるという観点
から、本実施形態においては自然画系の画像を表示するブロックＢkの各データ線１４が
プリチャージ電位ＶH1またはＶL1によってプリチャージされるようになっている。一方、
データ系の画像を表示する場合には光クロストークが視感上において特に顕著となるため
、本実施形態においてはデータ系の画像を表示するブロックＢkの各データ線１４がプリ
チャージ電位ＶH2またはＶL2によってプリチャージされる。これらの各電位の具体的なレ
ベルやデータ電位の極性との関係は以下の通りである。
【００１９】
プリチャージ電位ＶH1は、自然画系の画像が表示されるブロックＢkの各データ線１４
に正極性のデータ電位Ｘが印加されるときにその直前のプリチャージ期間Ｔpにおいてこ
れらのデータ線１４に印加される電位である。このプリチャージ電位ＶH1は、正極性デー
タ電位範囲内の電位であり、より好ましくは、電位ＶHと電位ＶWHとの中心電位（すなわ
ち画素Ｐに中間調たる灰色を表示させるための電位）に選定される。また、プリチャージ
電位ＶL1は、自然画系の画像が表示されるブロックＢkの各データ線１４に負極性のデー
タ電位が印加されるときにその直前のプリチャージ期間Ｔpにおいてこれらのデータ線１
４に印加される電位である。このプリチャージ電位ＶL1は、負極性データ電位範囲内の電
位であり、より好ましくは、電位ＶLと電位ＶWHとの中心電位（すなわち画素Ｐに中間調
たる灰色を表示させるための電位）に選定される。図３に示されるように、プリチャージ
電位ＶH1とプリチャージ電位ＶL1とは電位ＶCを中心として対称な電位となる。
【００２０】
一方、プリチャージ電位ＶH2は、データ系の画像が表示されるブロックＢkの各データ
線１４に正極性のデータ電位が印加されるときにその直前のプリチャージ期間Ｔpにおい
てこれらのデータ線１４に印加される電位である。このプリチャージ電位ＶH2は、例えば
、電位ＶCと同電位またはこれよりも僅かに高い電位に選定され、より好ましくは、電位
ＶWHよりも低い電位とされる。また、プリチャージ電位ＶL2は、データ系の画像が表示さ
れるブロックＢkの各データ線１４に負極性のデータ電位が印加されるときにその直前の
プリチャージ期間Ｔpにおいてこれらのデータ線１４に印加される電位である。このプリ
チャージ電位ＶL2は、電位ＶWLと電位ＶLとの中心電位（すなわち負極性データ電位範囲
の中心である電位ＶL1）よりも低い電位に選定され、より好ましくは、電位ＶLよりも高
い電位とされる。図３に示されるように、プリチャージ電位ＶH2とプリチャージ電位ＶL2
とは電位ＶCを中心として非対称な電位となる。
【００２１】
図１に示される制御回路３０は、電気光学装置Ｄ1の全体の動作を制御するための手段
であり、走査線駆動回路２０やデータ線駆動回路４０やプリチャージ回路５０に対して各
種の信号を出力する。制御回路３０から各部に出力される信号の具体的な波形は以下の通
りである。まず、プリチャージパルスＰＧは、図４に示されるように、各選択期間の始点
にて立ち上がるパルス信号であり、ひとつのプリチャージ期間Ｔpに相当するパルス幅を
有する。プリチャージクロックＰＣＫは、ブロック期間Ｔｂの時間長に相当する周期でＨ
レベルおよびＬレベルの一方から他方に変動するクロック信号（すなわち半周期がブロッ
ク期間Ｔｂの時間長に相当する信号）であり、反転プリチャージクロック／ＰＣＫは、プ
リチャージクロックＰＣＫの論理レベルを反転させた信号である。
【００２２】
図１に示されるように、制御回路３０は、プリチャージ信号Ｓpreを生成してプリチャ
ージ信号線６１に出力する電圧出力回路３１を有する。このプリチャージ信号Ｓpreは、
図４に示されるように、各ブロック期間ＴｂkにおいてブロックＢkに対応したプリチャー
ジ電位（より詳細には、ブロックＢkに表示される画像とデータ電位Ｘの極性とに応じた
電位）となる信号である。したがって、電圧出力回路３１は、各ブロックＢkに対応した
プリチャージ電位をブロック期間Ｔｂk（より厳密にはプリチャージ期間Ｔp）ごとに時分
割にて出力する手段として特定される。
【００２３】
図４に示されるスタートパルスＤＸは、各選択期間のうち最初のブロック期間Ｔｂ1の
データ出力期間Ｔdの始点にて出力されるパルス信号である。一方、クロック信号ＣＬＸ0
（いわゆるドットクロック）は、データ出力期間Ｔdのうち１本のデータ線１４にデータ
電位Ｘが印加される時間長に相当する周期でＨレベルおよびＬレベルの一方から他方に変
動するクロック信号である。図４に示されるコントロール信号ＣＴＬは、データ線駆動回
路４０に対してデータ出力期間Ｔd（あるいはプリチャージ期間Ｔp）を指定するための信
号であり、データ出力期間Ｔdの始点から終点までにわたってアクティブレベル（Ｈレベ
ル）となる一方、プリチャージ期間Ｔpにおいては非アクティブレベル（Ｌレベル）を維
持する。詳細については後述するが、データ線駆動回路４０は、コントロール信号ＣＴＬ
がＬレベルである期間（すなわちプリチャージ期間Ｔp）において各データ線１４に対す
るデータ電位Ｘの出力を停止する。
【００２４】
画像信号Ｖidは、各画素Ｐの階調を時分割にて指定する電圧信号である。本実施形態に
おける画像信号Ｖidは、クロック信号ＣＬＸ0の半周期に相当する時間長においてひとつ
の画素Ｐの階調に応じた電位となる。図１に示されるように、制御回路３０には外部の機
器から画像データＤが入力される。この画像データＤは、各画素Ｐの階調を指定するデジ
タルデータである。制御回路３０は、外部の機器から入力されてフレームメモリ３３に書
き込まれた１画面（１フレーム）分の画像データＤをクロック信号ＣＬＸ0に同期してＤ
／Ａ変換し、さらにデータ電位Ｘの極性に応じて適宜に極性反転することによって画像信
号Ｖidを生成し、これを画像信号線６３に出力する。
【００２５】
一方、制御回路３０は、フレームメモリ３３に格納された画像データＤに基づいて、表
示領域Ａdの各ブロックＢkに表示される画像が自然画系およびデータ系の何れであるのか
を判定する判定回路３５を有する。この判定の方法としては公知である種々の技術が採用
されるが、本実施形態における制御回路３０は、互いに隣接する画素Ｐの階調の相違や各
画素Ｐの階調の経時的な変化に基づいて画像の特性を判定する。これらの判定の方法につ
いて詳述すれば以下の通りである。
【００２６】
第１の方法は、各ブロックＢk内で互いに隣接する画素Ｐの階調が相違する頻度に応じ
て画像の特性を判定する方法である。判定回路３５は、ひとつのブロックＢkに属する総
ての画素Ｐの各々を順番に選定する。そして、判定回路３５は、ひとつの画素Ｐ（以下「
注目画素Ｐ」という）を選定するたびに、その注目画素Ｐに対してＸ方向およびＹ方向に
隣接する各画素Ｐの画像データＤと注目画素Ｐの画像データＤとが相違するか否かを判定
し、相違すると判定した回数を累算していく。この処理をブロックＢkに属する総ての画
素Ｐについて完了すると、判定回路３５は、階調が相違すると判定した回数の累算値と予
め定められた閾値とを比較し、累算値が閾値を越える場合には当該ブロックＢkに表示さ
れる画像が自然画系の画像であると判定する一方、累算値が閾値を下回る場合にはブロッ
クＢkに表示される画像がデータ系の画像であると判定する。この判定は、自然画系の画
像は互いに隣接する画素Ｐ同士の階調が相違する場合が多く、データ系の画像は広い範囲
の画素Ｐにわたって同じ階調が連続する場合が多いという一般的な傾向を基礎としている
。
【００２７】
第２の方法は、各画素Ｐの階調が経時的に変化する頻度に応じて画像の特性を判定する
方法である。判定回路３５は、あるフレームにおける各画素Ｐの画像データＤと、その直
後のフレームにおける当該画素Ｐの画像データＤとが相違するか否かを判定し、両者が相
違すると判定した回数を算定する。そして、判定回路３５は、階調が相違すると判定した
回数と予め定められた閾値とを比較し、この回数が閾値を越える場合には当該ブロックＢ
kに表示される画像が自然画系の画像（特に動画像）であると判定する一方、閾値を下回
る場合にはブロックＢkに表示される画像がデータ系の画像であると判定する。この判定
は、自然画系の動画像は各画素Ｐの階調が時々刻々と変化していく場合が多く、データ系
の画像は各画素Ｐの階調が長時間にわたって変化しない場合が多いという一般的な傾向を
基礎としている。
【００２８】
以上の説明から明らかなように、ブロックＢkに表示される画像が自然画系の画像と判
定されたとしても、そのブロックＢkの全域を自然画系の画像が占めるという訳ではなく
、ブロックＢkの多くの部分を自然画系の画像が占める可能性が高いという意味である。
データ系の画像と判定された場合についても同様である。判定回路３５は、以上の処理を
ブロックＢkごとに実行することによって、各ブロックＢkに表示される画像が自然画系お
よびデータ系の何れであるのかを判定する。そして、電圧出力回路３１は、データ電位Ｘ
が正極性とされる選択期間において、ブロックＢkに自然画系の画像が表示されると判定
された場合にはブロック期間Ｔｂkにてプリチャージ信号Ｓpreをプリチャージ電位ＶH1に
設定する一方、データ系の画像が表示されると判定された場合にはブロック期間Ｔｂkに
てプリチャージ信号Ｓpreをプリチャージ電位ＶH2に設定する。同様に、データ電位Ｘが
負極性とされる選択期間において、自然画系の画像と判定された場合にはブロック期間Ｔ
ｂkにてプリチャージ信号Ｓpreをプリチャージ電位ＶL1に設定し、データ系の画像と判定
された場合にはブロック期間Ｔｂkにてプリチャージ信号Ｓpreをプリチャージ電位ＶL2に
設定する。
【００２９】
図１に示されるように、制御回路３０から出力されたコントロール信号ＣＴＬは２系統
に分岐される。このうちの一系統はデータ線駆動回路４０に供給され、他系統は、制御回
路３０から出力されたクロック信号ＣＬＸ0とともにＡＮＤ回路６５１に入力される。こ
のＡＮＤ回路６５１は、両信号の論理積に相当するクロック信号ＣＬＸを出力する。上述
したようにコントロール信号ＣＴＬはプリチャージ期間ＴpにおいてＬレベルとなるから
、ＡＮＤ回路６５１から出力されるクロック信号ＣＬＸは、図４に示されるように、デー
タ出力期間Ｔdにおいてはドットクロック周期にてレベル反転を繰り返す一方、プリチャ
ージ期間Ｔpにおいてはその反転が停止する信号となる。図１に示されるように、データ
線駆動回路４０には、このクロック信号ＣＬＸと、その論理レベルをインバータ６５２に
よって反転した反転クロック信号／ＣＬＸとが入力される。
【００３０】
図１に示されるように、データ線駆動回路４０は、サンプリング回路４１とシフトレジ
スタ４２とを有する。このうちサンプリング回路４１は、各々が異なるデータ線１４に対
応する４ｎ個のサンプリングスイッチ４１１を有する。各サンプリングスイッチ４１１の
ドレイン電極はこれに対応するデータ線１４の端部に接続され、各々のソース電極は画像
信号線６３に対して共通に接続される。一方、シフトレジスタ４２は、データ線１４の総
本数に相当する４ｎ段の単位回路４２１を配列した構成である。各単位回路４２１は、そ
の前段の単位回路４２１（第１段目の単位回路４２１にあっては制御回路３０）から供給
されるスタートパルスＤＸをクロック信号ＣＬＸおよび反転クロック信号／ＣＬＸの立ち
上がりおよび立ち下りのタイミングにて後段の単位回路４２１に出力する。各単位回路４
２１の出力端から出力された信号はサンプリング信号Ｓ（Ｓ1_1、Ｓ1_2、……Ｓ1_n、Ｓ2
_1、……Ｓ4_n）として各サンプリングスイッチ４１１のゲート電極に供給される。図４
に示されるように、サンプリング信号Ｓk_1、Ｓk_2、……、Ｓk_nは、ブロック期間Ｔｂk
のデータ出力期間Ｔdにて順番にアクティブレベルとなる一方、クロック信号ＣＬＸや反
転クロック信号／ＣＬＸが反転を停止するプリチャージ期間Ｔpにおいては非アクティブ
レベルを維持する。サンプリング信号Ｓk_jがアクティブレベルになると、ブロックＢkに
属する第ｊ列目のサンプリングスイッチ４１１がオン状態となり、その時点で画像信号線
６３に供給されている画像信号Ｖidがデータ電位Ｘとしてデータ線１４に印加される。
【００３１】
なお、ブロックＢ1ないしＢ3の各々に対応するｎ個のサンプリングスイッチ４１１のう
ち最終段（第ｎ列目）のサンプリングスイッチ４１１のゲート電極はＡＮＤ回路４４の出
力端に接続される。このＡＮＤ回路４４には、各ブロックＢkに対応する単位回路４２１
のうち第ｎ段目の単位回路４２１から出力されるサンプリング信号Ｓk_nと制御回路３０
から出力されるコントロール信号ＣＴＬとが入力される。したがって、コントロール信号
ＣＴＬがＬレベルとなるプリチャージ期間Ｔpにおいては、サンプリング信号Ｓk_nのレベ
ルに拘わらずサンプリングスイッチ４１１はオフ状態となる。この構成によれば、ブロッ
ク期間Ｔｂkのプリチャージ期間ＴpにおいてブロックＢkに対応する総てのサンプリング
スイッチ４１１を確実にオフ状態とすることができる。
【００３２】
一方、プリチャージ回路５０は、データ線駆動回路４０と同様にサンプリング回路５１
とシフトレジスタ５２とを有する。このうちサンプリング回路５１は、各々が異なるデー
タ線１４に対応する４ｎ個のサンプリングスイッチ５１１を有する。各サンプリングスイ
ッチ５１１のドレイン電極はこれに対応するデータ線１４のうちデータ線駆動回路４０と
は反対側の端部に接続され、各々のソース電極はプリチャージ信号線６１に対して共通に
接続される。一方、シフトレジスタ５２は、ブロックＢの総数に相当する４個の単位回路
５２１を配列した構成である。各単位回路５２１は、前段の単位回路５２１（第１段目の
単位回路５２１にあっては制御回路３０）から供給されるプリチャージパルスＰＧをプリ
チャージクロックＰＣＫの半周期に相当する時間長（すなわちブロック期間Ｔｂkの時間
長）だけ遅延させて次段の単位回路５２１に出力する。第ｋ段目の単位回路５２１に入力
される信号は、サンプリング信号Ｐkとして、ブロックＢkに対応するｎ個のサンプリング
スイッチ５１１に供給される。図４に示されるように、サンプリング信号Ｐkは、ひとつ
の選択期間に含まれる第ｋ番目のプリチャージ期間Ｔpにおいてアクティブレベルとなる
。したがって、第ｋ番目のプリチャージ期間Ｔpにおいては、ブロックＢkに対応するｎ個
のサンプリングスイッチ５１１が一斉にオン状態となり、その時点でプリチャージ信号線
６１に供給されているプリチャージ信号Ｓpreのプリチャージ電位がブロックＢkの総ての
データ線１４に印加される。
【００３３】
次に、プリチャージ電位の印加に特に注目しながら電気光学装置Ｄ1の動作を説明する
。
いま、図５に示されるように、表示領域ＡdのうちブロックＢ2およびＢ3の大部分を占
めるようにウィンドウＷが表示され、このウィンドウＷ内に自然画系の画像が表示される
場合を想定する。ウィンドウＷの外側の領域にはアイコンや他のウィンドウが表示される
。この場合、判定回路３５は、ブロックＢ2およびＢ3に自然画系の画像が表示され、ブロ
ックＢ1およびＢ4にデータ系の画像が表示されていると判定する。したがって、図４に示
されるように、プリチャージ信号Ｓpreは、データ電位Ｘが正極性とされる選択期間のう
ちブロック期間Ｔｂ1およびＴｂ4においてプリチャージ電位ＶH2となり。ブロック期間Ｔ
ｂ2およびＴｂ3においてプリチャージ電位ＶH1となる。
【００３４】
このようなプリチャージ信号Ｓpreが供給される結果、プリチャージ回路５０は、ブロ
ック期間Ｔｂkごとに以下のようにプリチャージを実行する。まず、ブロック期間Ｔｂ1の
プリチャージ期間Ｔpにおいてはサンプリング信号Ｐ1がアクティブレベルとなり、その時
点でプリチャージ信号線６１に供給されているプリチャージ信号Ｓpreのプリチャージ電
位ＶH2がブロックＢ1の総てのデータ線１４に印加される。このときブロックＢ1に対応す
るサンプリングスイッチ４１１は総てオフ状態となっているから、このブロックＢ1の何
れのデータ線１４にもデータ電位Ｘは印加されない。また、ブロック期間Ｔｂ2のプリチ
ャージ期間Ｔpにおいてはサンプリング信号Ｐ2がアクティブレベルとなってプリチャージ
電位ＶH1がブロックＢ2の総てのデータ線１４に印加され、同様にブロック期間Ｔｂ3のプ
リチャージ期間Ｔpにおいてはプリチャージ電位ＶH1がブロックＢ3の総てのデータ線１４
に印加される。また、ブロック期間Ｔｂ4のプリチャージ期間Ｔpにおいてはプリチャージ
電位ＶH2がブロックＢ4の総てのデータ線１４に印加される。さらに、次の選択期間にお
いてはデータ電位Ｘが負極性となるから、プリチャージ信号Ｓpreの電位はブロックＢkご
とにＶL2→ＶL1→ＶL1→ＶL2という順番にて変化していく。したがって、ブロックＢ1お
よびＢ4に属する総てのデータ線１４はデータ系の画像に対応したプリチャージ電位ＶL2
にプリチャージされ、ブロックＢ2およびＢ3に属する総てのデータ線１４は自然画系の画
像に対応したプリチャージ電位ＶL1にプリチャージされる。なお、各プリチャージ期間Ｔ
pに挟まれたデータ出力期間Ｔdにおいて各ブロックＢkのデータ線１４に対して順番にデ
ータ電位Ｘが印加される点は上述した通りである。
【００３５】
以上に説明したように、本実施形態においては、各ブロックＢkが表示する画像の特性
（自然画系およびデータ系の何れであるか）に応じて当該ブロックＢkのデータ線１４に
印加されるプリチャージ電位が変化するから、互いに特性が異なる複数の画像（例えば図
５に示されるウィンドウＷとその背景）が表示領域Ａdに表示される場合であっても、画
像の特性に応じたプリチャージによって表示品位を向上させることができる。特に、本実
施形態においては、自然画系の画像が表示されるブロックＢkのデータ線１４にプリチャ
ージ電位ＶH1またはＶL1が印加されることにより、表示品位を損なうことなく画素Ｐに対
して迅速にデータを書き込むことができるとともに、データ系の画像が表示されるブロッ
クＢkのデータ線１４にプリチャージ電位ＶH2またはＶL2が印加されることによって光ク
ロストークを抑制した高品位な表示が実現される。
【００３６】
＜Ｂ：第２実施形態＞
次に、本発明の第２実施形態に係る電気光学装置について説明する。なお、本実施形態
の電気光学装置のうち第１実施形態と同様の要素については共通の符号を付してその説明
を適宜に省略する。
【００３７】
図６は、本実施形態に係る電気光学装置の構成を示すブロック図であり、図７は、この
電気光学装置の動作を示すタイミングチャートである。図７に示されるように、本実施形
態においては、第１実施形態とは異なり、選択期間うちその始点から所定の時間長が経過
するまでのプリチャージ期間Ｔpにおいて４ｎ本の総てのデータ線１４が一斉にプリチャ
ージされる。このため、本実施形態に係る電気光学装置Ｄ2は、データ線１４に対するデ
ータ電位Ｘの印加に関して、第１実施形態にて説明したコントロール信号ＣＴＬは使用さ
れない。制御回路３０は、ドットクロックに相当するクロック信号ＣＬＸ（第１実施形態
のクロック信号ＣＬＸ0）と、その論理レベルを反転した反転クロック信号／ＣＬＸをデ
ータ線駆動回路４０に出力する。したがって、各選択期間のデータ出力期間Ｔdにおいて
は、ブロックＢ1に属する第１列目のデータ線１４のサンプリングスイッチ４１１からブ
ロックＢ4に属する第ｎ列目のデータ線１４のサンプリングスイッチ４１１までがプリチ
ャージ期間Ｔpを空けずに連続して順番にオン状態となり、このオン状態となったサンプ
リングスイッチ４１１を介して各データ線１４にデータ電位Ｘが印加される。
【００３８】
また、制御回路３０の電圧出力回路３１は、各々が異なるブロックＢkに対応する４種
類のプリチャージ信号Ｓpre1ないしＳpre4を生成して各々を別個のプリチャージ信号線６
１に出力する。各プリチャージ信号Ｓprekの電位は、ブロックＢkに表示される画像の特
性とデータ電位の極性とに応じて４種類のプリチャージ電位（図３に示したＶH1、ＶL1、
ＶH2、ＶL2）の何れかに設定される。ただし、本実施形態においては総てのデータ線１４
が一斉にプリチャージされるから、ひとつのプリチャージ信号Ｓprekは、図７に示される
ように、選択期間の始点から終点まで同じプリチャージ電位を維持する。もっとも、本来
的には、プリチャージ信号Ｓpre1ないしＳpre4は、プリチャージ期間Ｔpにてプリチャー
ジ電位を維持すれば足り、その他の期間での電位は任意である。
【００３９】
一方、プリチャージ回路５０は、各々が異なるデータ線１４に対応する４ｎ個のサンプ
リングスイッチ５１１を有する。各サンプリングスイッチ５１１のドレイン電極はこれに
対応するデータ線１４に接続される。また、ひとつのブロックＢkに対応するｎ個のサン
プリングスイッチ５１１は、プリチャージ信号Ｓprekが供給されるプリチャージ信号線６
１に対して共通に接続される。また、総てのサンプリングスイッチ５１１のゲート電極に
は、制御回路３０から出力されたプリチャージパルスＰＧが供給される。このプリチャー
ジパルスＰＧは、第１実施形態と同様の波形であり、図７に示されるように、各選択期間
の始点から始まるプリチャージ期間Ｔpにてアクティブレベルとなるパルス信号である。
【００４０】
次に、図７を参照して電気光学装置Ｄ2の動作を説明する。なお、ここでも第１実施形
態と同様に、図５に示される画像が表示領域Ａdに表示された場合を想定する。したがっ
て、制御回路３０の判定回路３５は、ブロックＢ1およびＢ4にデータ系の画像が表示され
ていると判定し、ブロックＢ2およびＢ3に自然画系の画像が表示されていると判定する。
【００４１】
この場合、ブロックＢ1に対応するプリチャージ信号Ｓpre1およびブロックＢ4に対応す
るプリチャージ信号Ｓpre4は、データ電位Ｘが正極性となる選択期間（図７における左側
の選択期間）においてデータ系の画像に対応するプリチャージ電位ＶH2を維持し、データ
電位Ｘが負極性となる次の選択期間（図７における中央の選択期間）においてはプリチャ
ージ電位ＶL2となる。一方、ブロックＢ2に対応するプリチャージ信号Ｓpre2およびブロ
ックＢ3に対応するプリチャージ信号Ｓpre3は、データ電位Ｘが正極性となる選択期間に
おいて自然画系の画像に対応するプリチャージ電位ＶH1に設定され、データ電位Ｘが負極
性となる選択期間においてはプリチャージ電位ＶL1となる。したがって、プリチャージパ
ルスＰＧがアクティブレベルとなるプリチャージ期間Ｔpにおいて、ブロックＢ1およびＢ
4の各データ線１４はプリチャージ電位ＶH2またはＶL2にプリチャージされる一方、ブロ
ックＢ2およびＢ3の各データ線１４はプリチャージ電位ＶH1またはＶL1にプリチャージさ
れる。
【００４２】
このように、本実施形態においても各ブロックＢkの画像の特性に応じて当該ブロック
Ｂkに印加されるプリチャージ電位が選定されるから、第１実施形態と同様の効果が奏さ
れる。さらに、本実施形態においては、ブロックＢkごとにプリチャージ期間Ｔdを設ける
必要がないから、第１実施形態にて説明したシフトレジスタ５２やコントロール信号ＣＴ
Ｌを不要とすることができ、電気光学装置Ｄ2の構成が簡素化されるという利点がある。
【００４３】
＜Ｃ：第３実施形態＞
次に、本発明の第３実施形態に係る電気光学装置について説明する。第１実施形態にお
いては、ひとつの系統のプリチャージ信号Ｓpreの電位が時分割にて各ブロックＢkのプリ
チャージ電位となる構成を例示し、第２実施形態においては、各ブロックＢkのプリチャ
ージ電位となる複数のプリチャージ信号Ｓpre1ないしＳpre4を生成する構成を例示した。
本実施形態に係る電気光学装置は、これらの形態を組み合わせた構成である。なお、本実
施形態に係る電気光学装置のうち第１実施形態または第２実施形態と同様の要素について
は共通の符号を付してその説明を適宜に省略する。
【００４４】
図８は、本実施形態に係る電気光学装置の構成を示すブロック図である。同図に示され
るように、この電気光学装置Ｄ3の制御回路３０は、ブロックＢ1およびＢ3に対応するプ
リチャージ電位となるプリチャージ信号Ｓpre1と、ブロックＢ2およびＢ4に対応するプリ
チャージ電位となるプリチャージ信号Ｓpre2とを生成して各々を並列にプリチャージ信号
線６１に出力する。例えばいま、図５に示されるようにブロックＢ1およびＢ4の各々にデ
ータ系の画像が表示され、ブロックＢ2およびＢ3の各々に自然画系の画像が表示される場
合を想定する。この場合、図９に示されるように、プリチャージ信号Ｓpre1は、選択期間
（ここではデータ電位Ｘが正極性である選択期間）の前半であるブロック期間Ｔｂ1にお
いてブロックＢ1の画像に対応するプリチャージ電位ＶH2となり、その直後のブロック期
間Ｔｂ2においてブロックＢ3の画像に対応するプリチャージ電位ＶH1となる。同様に、プ
リチャージ信号Ｓpre2は、ブロック期間Ｔｂ1においてブロックＢ2に対応するプリチャー
ジ電位ＶH1となり、ブロック期間Ｔｂ2においてブロックＢ4に対応するプリチャージ電位
ＶH2となる。図８に示されるように、プリチャージ回路５０のうちブロックＢ1およびＢ3
に対応する各サンプリングスイッチ５１１のソース電極はプリチャージ信号Ｓpre1が供給
されるプリチャージ信号線６１に対して共通に接続され、ブロックＢ2およびＢ4に対応す
る各サンプリングスイッチ５１１のソース電極はプリチャージ信号Ｓpre2が供給されるプ
リチャージ信号線６１に対して共通に接続される。
【００４５】
一方、プリチャージ回路５０のうちブロックＢ1およびＢ2に対応する各サンプリングス
イッチ５１１のゲート電極には単位回路５２１からサンプリング信号Ｐ1が供給され、ブ
ロックＢ3およびＢ4に対応する各サンプリングスイッチ５１１のゲート電極には単位回路
５２１からサンプリング信号Ｐ2が供給される。図９に示されるように、サンプリング信
号Ｐ1はブロック期間Ｔｂ1のプリチャージ期間Ｔpにてアクティブレベルとなり、サンプ
リング信号Ｐ2は、ブロック期間Ｔｂ1の始点からプリチャージクロックＰＣＫおよび反転
プリチャージクロック／ＰＣＫの半周期に相当する時間長だけ遅延したタイミングにて（
すなわちブロック期間Ｔｂ2のプリチャージ期間Ｔpにて）アクティブレベルとなる。なお
、ブロック期間Ｔｂ1のデータ出力期間ＴdにおいてはブロックＢ1およびＢ2に属する各デ
ータ線１４に対して順番にデータ電位Ｘが印加され、ブロック期間Ｔｂ2のデータ出力期
間ＴdにおいてはブロックＢ3およびＢ4に属する各データ線１４に対して順番にデータ電
位Ｘが印加される。
【００４６】
以上の構成のもと、ブロック期間Ｔｂ1のプリチャージ期間Ｔpにおいては、ブロックＢ
1およびＢ2に対応する各サンプリングスイッチ５１１がサンプリング信号Ｐ1によって一
斉にオン状態とされ、これらのサンプリングスイッチ５１１を介して、そのときのプリチ
ャージ信号Ｓpre1およびＳpre2のプリチャージ電位がブロックＢ1およびＢ2のデータ線１
４に対してそれぞれ印加される。より具体的には、このプリチャージ期間Ｔpにおいては
、ブロックＢ1の総てのデータ線１４に対してプリチャージ信号Ｓpre1のプリチャージ電
位ＶH2が印加され、ブロックＢ2の総てのデータ線１４に対してプリチャージ信号Ｓpre2
のプリチャージ電位ＶH1が印加される。ブロック期間Ｔｂ2のプリチャージ期間Ｔpにおい
ても同様の動作が繰り返されることにより、ブロックＢ3の各データ線１４にプリチャー
ジ信号Ｓpre1のプリチャージ電位ＶH1が印加されるとともに、ブロックＢ4の各データ線
１４にプリチャージ信号Ｓpre2のプリチャージ電位ＶH2が印加される。プリチャージ信号
Ｓpre1およびＳpre2の電位がデータ電位Ｘの極性に応じて定められる点や、各プリチャー
ジ期間Ｔpにおいてデータ線１４に対するデータ電位Ｘの印加が停止される点は第１実施
形態と同様である。
【００４７】
本実施形態においても第１および第２実施形態と同様の効果が奏される。なお、本実施
形態においては、ブロックＢ1およびＢ2を含む群の各データ線１４が共通のプリチャージ
期間Ｔpにてプリチャージされ、ブロックＢ3およびＢ4を含む群の各データ線１４が共通
のプリチャージ期間Ｔpにてプリチャージされる構成を例示した。このように共通のプリ
チャージ期間にて同時にプリチャージされる複数のブロックからなる群が本発明にいう「
ブロック群」に相当する。
【００４８】
＜Ｄ：変形例＞
各実施形態には種々の変形が加えられる。具体的な変形の態様を例示すれば以下の通り
である。なお、以下の各態様を適宜に組み合わせてもよい。
【００４９】
（１）各実施形態においては４ｎ本のデータ線１４が４個のブロックに区分された場合を
例示したが、ブロックＢの総数や各ブロックＢに属するデータ線１４の本数は任意である
。したがって、第１実施形態においてひとつの選択期間に含められるブロック期間Ｔｂの
総数や、第２実施形態において制御回路３０が生成するプリチャージ信号Ｓpreの総数、
さらに第３実施形態におけるブロック群の総数および各ブロック群に属するブロックＢの
総数も任意に変更される。また、各ブロックＢに属するデータ線１４の本数は互いに相違
していてもよい。さらに、各実施形態においては互いに隣接するｎ本のデータ線１４をブ
ロックＢとした場合を想定したが、ひとつのブロックＢに属する各データ線が列方向に分
散して配置された構成も採用される。
【００５０】
（２）各実施形態においては、データ線駆動回路４０とは別個に配置されたプリチャージ
回路５０によって各データ線１４をプリチャージする構成を例示したが、データ線駆動回
路４０が画像信号Ｖidに基づいて各データ線１４のプリチャージ（いわゆるビデオプリチ
ャージ）を実行する構成としてもよい。図１０は、本変形例に係る電気光学装置の構成を
示すブロック図である。同図に示されるように、この電気光学装置Ｄ4は、第１ないし第
３実施形態に示したプリチャージ回路５０を備えていない。その代わりに、データ線駆動
回路４０は、各々がサンプリングスイッチ４１１に対応する合計４ｎ個のＯＲ回路４４を
有する。各ＯＲ回路４４の出力端はこれに対応するサンプリングスイッチ４１１のゲート
電極に接続される。一方、制御回路３０は、４系統のプリチャージパルスＰＧ1ないしＰ
Ｇ4を並列に出力する。これらのプリチャージパルスＰＧ1ないしＰＧ4は、選択期間を４
等分したブロック期間Ｔｂ1ないしＴｂ4の最初に位置するプリチャージ期間Ｔpごとに順
番にアクティブレベルとなる信号（したがってこれらの波形は図４に示したサンプリング
信号Ｐ1ないしＰ4と同様となる）である。各ブロックＢkに対応するｎ個のＯＲ回路４４
の一方の入力端は、そのブロックＢkに対応するプリチャージパルスＰＧkが供給される信
号線６７に対して共通に接続される。また、各ＯＲ回路４４の他方の入力端は、これに対
応する単位回路４２１の出力端に接続される。
【００５１】
一方、制御回路３０から出力される画像信号Ｖidは、データ出力期間Ｔdにおいてデー
タ電位Ｘとなる点で各実施形態と共通するが、各ブロック期間Ｔｂkのプリチャージ期間
ＴpにおいてブロックＢkのプリチャージ電位となる点で各実施形態の画像信号Ｖidとは相
違している。例えば、画像信号Ｖidは、ブロック期間Ｔｂ1のプリチャージ期間Ｔp（すな
わちプリチャージパルスＰＧ1がアクティブレベルとなる期間）にてブロックＢ1の各デー
タ線１４に印加されるべきプリチャージ電位（例えばデータ電位Ｘが正極性である選択期
間にて図５の画像を表示する場合にはプリチャージ電位ＶH2）となる。この構成のもと、
各ブロック期間Ｔｂkのプリチャージ期間ＴpにてプリチャージパルスＰＧkがアクティブ
レベルとなってブロックＢkに対応するｎ個のサンプリングスイッチ４１１が一斉にオン
状態になると、その時点における画像信号Ｖidの電位（すなわちプリチャージ電位）が当
該ブロックＢkに属する総てのデータ線１４に対して印加される。この構成によっても、
各実施形態と同様の効果が奏される。なお、ここでは第１実施形態に係る電気光学装置Ｄ
1を変形した態様を例示したが、第２実施形態の電気光学装置Ｄ2は第３実施形態の電気光
学装置Ｄ3にも同様の変形が施される。
【００５２】
（３）画素Ｐの構成は図２に示したものに限られない。例えば、三端子型スイッチング素
子たるＴＦＴ素子に代えて、二端子型スイッチング素子たるＴＦＤ（Thin Film Diode）
を各画素Ｐのスイッチング素子として採用してもよい。
【００５３】
（４）第２実施形態においては、走査線１２が選択されてスイッチング素子７３がオン状
態となった期間にて各データ線１４にプリチャージ電位が印加される構成を例示したが、
各選択期間の間隙の期間（すなわち走査信号Ｙiが非アクティブレベルを維持する水平帰
線期間）にて各データ線１４にプリチャージ電位を印加する構成としてもよい。この場合
には、プリチャージ電位が印加されるときにスイッチング素子７３はオフ状態となってい
るため画素容量７１にプリチャージ電位は書き込まれない。したがって、画面のちらつき
（フリッカ）を有効に抑制できるという利点がある。
【００５４】
（５）各実施形態においては電圧出力回路３１とフレームメモリ３３と判定回路３５とが
制御回路３０に含められた構成を例示したが、これらの回路が制御回路３０とは別個の回
路とされた構成や、他の回路（例えば走査線駆動回路２０やデータ線駆動回路４０やプリ
チャージ回路５０）と一体をなす構成も採用される。
【００５５】
（６）各実施形態においては画像データＤに対する演算処理によって画像の特性が判定さ
れる構成を例示したが、画像の特性を判定するための方法は任意である。例えば、利用者
が入力装置（図示略）を操作することによって各ブロックＢkの特性（例えば自然画系の
画像であるかデータ系の画像であるか）を入力すると、この入力に基づいて判定回路３５
が画像の特性を判定するといった構成も採用される。
【００５６】
（７）以上においては電気光学物質として液晶７１２を利用した電気光学装置Ｄ1ないし
Ｄ4を例示したが、液晶以外の電気光学物質を用いた装置にも本発明は適用される。例え
ば、有機ＥＬや発光ポリマーなどのＯＬＥＤ（Organic Light Emitting Diode）素子を電
気光学物質として用いた表示装置や、着色された液体と当該液体に分散された白色の粒子
とを含むマイクロカプセルを電気光学物質として用いた電気泳動表示装置、極性が相違す
る領域ごとに異なる色に塗り分けられたツイストボールを電気光学物質として用いたツイ
ストボールディスプレイ、黒色トナーを電気光学物質として用いたトナーディスプレイ、
あるいはヘリウムやネオンなどの高圧ガスを電気光学物質として用いたプラズマディスプ
レイパネルなど各種の電気光学装置に対しても各実施形態と同様に本発明が適用される。
【００５７】
＜Ｅ：電子機器＞
次に、本発明に係る電子機器の例として、電気光学装置Ｄ1ないしＤ4をライトバルブと
して利用した投射型表示装置（プロジェクタ）の構成を説明する。図１１は、この投射型
表示装置の構成を示す平面図である。この図に示されるように、投射型表示装置２１００
の内部には、ハロゲンランプ等の白色光源からなるランプユニット２１０２が設けられて
いる。このランプユニット２１０２から射出された投射光は、内部に配置された３枚のミ
ラー２１０６および２枚のダイクロイックミラー２１０８によってＲ（赤）、Ｇ（緑）、
Ｂ（青）の３原色に分離されて、各原色に対応するライトバルブ１００Ｒ、１００Ｇおよ
び１００Ｂにそれぞれ導かれる。なお、Ｂ色の光は、他のＲ色やＧ色と比較すると、光路
が長いので、その損失を防ぐために、入射レンズ２１２２、リレーレンズ２１２３および
出射レンズ２１２４からなるリレーレンズ系２１２１を介して導かれる。
【００５８】
ここで、ライトバルブ１００Ｒ、１００Ｇおよび１００Ｂの構成は、電気光学装置Ｄ1
ないしＤ4の何れかと同様の構成であり、処理回路（図示省略）から供給されるＲ、Ｇ、
Ｂの各色に対応する画像データＤによってそれぞれ駆動されるものである。ライトバルブ
１００Ｒ、１００Ｇ、１００Ｂによってそれぞれ変調された光は、ダイクロイックプリズ
ム２１１２に３方向から入射する。そして、このダイクロイックプリズム２１１２におい
て、Ｒ色およびＢ色の光は９０度に屈折する一方、Ｇ色の光は直進する。したがって、各
色の画像が合成された後、スクリーン２１２０には、投射レンズ２１１４によってカラー
画像が投射されることとなる。
【００５９】
なお、ライトバルブ１００Ｒ、１００Ｇおよび１００Ｂには、ダイクロイックミラー２
１０８によって、Ｒ、Ｇ、Ｂの各原色に対応する光が入射するので、カラーフィルタを設
ける必要はない。また、ライトバルブ１００Ｒ、１００Ｂの透過像は、ダイクロイックプ
リズム２１１２により反射した後に投射されるのに対し、ライトバルブ１００Ｇの透過像
はそのまま投射されるので、ライトバルブ１００Ｒ、１００Ｂによる水平走査方向は、ラ
イトバルブ１００Ｇによる水平走査方向と逆向きにして、左右反転像を表示させる構成と
なっている。
【００６０】
また、本発明に係る電気光学装置が利用され得る電子機器としては、図１１に示した投
射型表示装置のほかにも、携帯電話機、可搬型のパーソナルコンピュータ、デジタルビデ
オカメラ、液晶テレビ、ビューファインダ型（またはモニタ直視型）のビデオレコーダ、
カーナビゲーション装置、ページャ、電子手帳、電卓、ワードプロセッサ、ワークステー
ション、テレビ電話、ＰＯＳ端末、タッチパネルを備えた機器等などが挙げられる。
【図面の簡単な説明】
【００６１】
【図１】本発明の第１実施形態に係る電気光学装置の構成を示すブロック図である。
【図２】各画素の構成を示す回路図である。
【図３】データ電位と各プリチャージ電位との関係を示す図である。
【図４】第１実施形態に係る電気光学装置の動作を示すタイミングチャートである。
【図５】表示領域に表示される画像と各ブロックとの関係を例示する図である。
【図６】本発明の第２実施形態に係る電気光学装置の構成を示すブロック図である。
【図７】第２実施形態に係る電気光学装置の動作を示すタイミングチャートである。
【図８】本発明の第３実施形態に係る電気光学装置の構成を示すブロック図である。
【図９】第３実施形態に係る電気光学装置の動作を示すタイミングチャートである。
【図１０】変形例に係る電気光学装置の構成を示すブロック図である。
【図１１】本発明に係る電子機器の一例である投射型表示装置の構成を示す図である。
【符号の説明】
【００６２】
Ｄ1，Ｄ2，Ｄ3，Ｄ4……電気光学装置、Ａd……表示領域、Ｐ……画素、１２……走査線
、１４……データ線、２０……走査線駆動回路、３０……制御回路、３１……電圧出力回
路、３３……フレームメモリ、３５……判定回路、４０……データ線駆動回路、５０……
プリチャージ回路、４１１，５１１……サンプリングスイッチ、Ｂk（Ｂ1，Ｂ2，Ｂ3，Ｂ
4）……ブロック、Ｔｂk（Ｔｂ1，Ｔｂ2，Ｔｂ3，Ｔｂ4）……ブロック期間、Ｔp……プ
リチャージ期間、Ｔd……データ出力期間。
【図１】
2006133446.tif 000003
【図２】
2006133446.tif 000004
【図３】
2006133446.tif 000005
【図４】
2006133446.tif 000006
【図５】
2006133446.tif 000007
【図６】
2006133446.tif 000008
【図７】
2006133446.tif 000009
【図８】
2006133446.tif 000010
【図９】
2006133446.tif 000011
【図１０】
2006133446.tif 000012
【図１１】
2006133446.tif 000013